(57)【要約】【課題】光センサなどを用いることなく、回転アンテナの回転状態を判定することができる電子レンジを提供する。【解決手段】制御装置は、昇圧トランスの一次側電圧Ｖｉｎ及び一次側電流Ｉｉｎと、マグネトロンの陽極電流Ｉｂに基づいて、マイクロ波を調理室２内に拡散させる回転アンテナの回転の有無を判定する。具体的には、比Ｒ＝（一次側電圧Ｖｉｎ）×（一次側電流Ｉｉｎ）／（陽極電流Ｉｂ）の演算結果が所定期間において変動する度合いを、所定期間における比Ｒの最大値と最小値との差Ｄを累積的に加算した値Ａが増加する値Ｇとして求め（ステップＳ４〜Ｓ１１）、その増加値Ｇの大きさに基づいて判定を行なう（ステップＳ１２）。【選択図】　図１
2004095432.tif 000002
【特許請求の範囲】
【請求項１】
食品を収容する調理室と、
交流電源を昇圧する昇圧トランスと、
この昇圧トランスの一次側に前記交流電源を供給するインバータ回路と、
前記昇圧トランスの二次側に接続され、前記調理室内にマイクロ波を照射する加熱手段と、
この加熱手段によって照射されるマイクロ波を前記調理室内に拡散させる回転アンテナと、
この回転アンテナを駆動するモータと、
このモータの回転駆動を制御する駆動制御手段と、
前記昇圧トランスの一次側電圧を検出する電圧検出手段と、
前記昇圧トランスの一次側電流を検出する電流検出手段と、
前記加熱手段の入力電流を検出する入力電流検出手段と、
前記昇圧トランスの一次側電流が所定値となるように前記インバータ回路を制御するインバータ制御手段と、
前記電圧検出手段によって検出される一次側電圧と、前記電流検出手段によって検出される一次側電流と、前記入力電流検出手段によって検出される入力電流とに基づいて、前記回転アンテナが実際に回転しているか否かを判定する回転判定手段とを備えたことを特徴とする電子レンジ。
【請求項２】
回転判定手段は、
（一次側電圧）×（一次側電流）／（入力電流）の演算結果が所定期間において変動する度合いに基づいて判定を行なうことを特徴とする請求項１記載の電子レンジ。
【請求項３】
回転判定手段は、所定期間を回転アンテナの回転周期よりも長い時間に設定することを特徴とする請求項２記載の電子レンジ。
【請求項４】
回転判定手段は、所定期間において得られる演算結果の最大値と最小値との差を累積的に加算し、その加算結果に基づいて判定を行なうことを特徴とする請求項３記載の電子レンジ。
【請求項５】
回転判定手段は、最大値と最小値との差が所定範囲内にある場合のみ加算を行うことを特徴とする請求項４記載の電子レンジ。
【請求項６】
回転判定手段は、加熱手段の駆動開始後に一次電流の値が所定値以上に達すると判定処理を開始することを特徴とする請求項１乃至５の何れかに記載の電子レンジ。
【請求項７】
駆動制御手段がモータを駆動して回転アンテナを回転させているにもかかわらず、回転判定手段が前記回転アンテナの回転が停止していると判断した場合に、その旨を報知する報知手段を備えたことを特徴とする請求項１乃至６の何れかに記載の電子レンジ。
【請求項８】
駆動制御手段がモータを駆動して回転アンテナを回転させているにもかかわらず、回転判定手段が前記回転アンテナの回転が停止していると判断した場合に、加熱手段による加熱調理を中止させる加熱中止手段を備えたことを特徴とする請求項１乃至７の何れかに記載の電子レンジ。
【発明の詳細な説明】
【０００１】
【発明の属する技術分野】
本発明は、加熱手段によって照射されるマイクロ波を調理室内に拡散させるために回転する回転アンテナを備えてなる電子レンジに関する。
【０００２】
【発明が解決しようとする課題】
電子レンジは、マグネトロン等の加熱手段が発生させたマイクロ波を調理室内に導入して食品に照射し、加熱調理を行なうものである。しかし、マイクロ波を調理室内に導入すると反射波が干渉することで定在波が発生し、その腹に対応する位置に電界が集中するため食品の加熱むらが生じてしまう。そこで、従来の電子レンジでは食品をターンテーブル上に載置し、そのターンテーブルを回転させることで加熱中に食品の位置を変化させて、加熱むらの発生を防止するように構成したものが主流であった。
【０００３】
ところが、ターンテーブルを設けると、調理室内の容積がその分だけ小さくならざるを得ず、また、調理室内の清掃を行なうのが不便であるという弊害が生じていた。そのような弊害を解消するため、近年、ターンテーブルを設ける代わりに金属製の回転アンテナを配置し、回転アンテナを回転させてマイクロ波を調理室内に導入する際に拡散させることで加熱むらを回避する方式が採用されつつある。
【０００４】
斯様な方式を採用した場合は、加熱調理を行う際に回転アンテナが確実に回転していることが重要である。即ち、例えば断線などの故障が発生することで回転アンテナが回転していない状態で加熱調理を行なえば、著しい加熱むらが発生してしまうからである。
【０００５】
回転アンテナの回転検出を行なうようにした従来技術として、例えば、特開平９−１０２３９０号公報には、光センサを用いることで検出を行なう構成が開示されている。しかしながら、回転検出を行なうためだけに光センサを設けると、その分だけコストアップすることになる。
【０００６】
本発明は上記事情に鑑みてなされたものであり、その目的は、光センサなどを用いることなく、回転アンテナの回転状態を判定することができる電子レンジを提供することにある。
【０００７】
【課題を解決するための手段】
上記目的を達成するため、請求項１記載の電子レンジは、食品を収容する調理室と、交流電源を昇圧する昇圧トランスと、この昇圧トランスの一次側に前記交流電源を供給するインバータ回路と、前記昇圧トランスの二次側に接続され、前記調理室内にマイクロ波を照射する加熱手段と、この加熱手段によって照射されるマイクロ波を前記調理室内に拡散させる回転アンテナと、この回転アンテナを駆動するモータと、このモータの回転駆動を制御する駆動制御手段と、前記昇圧トランスの一次側電圧を検出する電圧検出手段と、前記昇圧トランスの一次側電流を検出する電流検出手段と、前記加熱手段の入力電流を検出する入力電流検出手段と、前記昇圧トランスの一次側電流が所定値となるように前記インバータ回路を制御するインバータ制御手段と、前記電圧検出手段によって検出される一次側電圧，前記電流検出手段によって検出される一次側電流，前記入力電流検出手段によって検出される入力電流に基づいて、前記回転アンテナが実際に回転しているか否かを判定する回転判定手段とを備えたことを特徴とする。
【０００８】
即ち、回転アンテナが回転することで調理室内に照射されるマイクロ波が拡散される状態にあると調理室内のインピーダンスが変化するため、加熱手段の動作状態が変化する。その変化は、昇圧トランスの一次側電圧及び一次側電流，並びに加熱手段の入力電流に基づいて捉えることができるので、回転判定手段は、回転アンテナが実際に回転しているか否かを判定することが可能となる。そして、電圧検出手段，電流検出手段及び入力電流検出手段は、インバータ制御手段が通常の加熱制御を行う場合に使用する構成要素であるから、回転アンテナが実際に回転しているか否かを判定するためにセンサなどを別途設ける必要がない。
【０００９】
この場合、請求項２に記載したように、回転判定手段を、（一次側電圧）×（一次側電流）／（入力電流）の演算結果が所定期間において変動する度合いに基づいて判定を行なうように構成するのが良い。即ち、電子レンジにおける電力消費の大部分は加熱手段によるため、上記演算結果は加熱手段の入力電圧変化を反映した値となる。従って、その変動度合いは加熱手段の動作状態の変化、即ち回転アンテナの回転の有無を示すので、判定を確実に行うことができる。
【００１０】
また、この場合、請求項３に記載したように、回転判定手段を、所定期間を回転アンテナの回転周期よりも長い時間に設定する構成とするのが好ましい。即ち、回転アンテナが１回転する間に、調理室内のインピーダンスは最大値と最小値とを示すように変化する。従って、所定期間を回転アンテナの回転周期よりも長い時間に設定すれば、その所定期間内に、回転判定手段の演算結果もインピーダンス変化に応じて最大値，最小値を確実に示すようになる。そして、その最大値と最小値との差を得れば、演算結果の変動度合いを検出できる。
【００１１】
更に、この場合、請求項４に記載したように、回転判定手段を、所定期間において得られる演算結果の最大値と最小値との差を累積的に加算し、その加算結果に基づいて判定を行なうように構成すると良い。即ち、回転アンテナの回転が停止した場合でも調理室内のインピーダンスは僅かに変化するので、回転の有無に応じた最大，最小の差の変化は相対的なものとなる。従って、単に演算結果の最大値と最小値との差を求めるだけでは、回転アンテナの回転の有無を判定し難い場合がある。そのような場合に、前記差を累積的に加算すれば回転の有無に対応した演算結果の差の大小が明確に分かるようになるので、判定をより確実に行うことができる。
【００１２】
加えて、この場合、請求項５に記載したように、回転判定手段を、最大値と最小値との差が所定範囲内にある場合のみ加算を行う構成とするのが好ましい。即ち、加熱手段を起動した直後はその動作が不安定であるため、最大値と最小値との差が比較的大きい状態にある。そのような状態で得られる演算結果に基づいて正確な判定を行うことは出来ないので、最大値と最小値との差が所定範囲内に入った場合のみ加算を行えば判定を正確に行うことができる。
【００１３】
また、以上の場合において、請求項６に記載したように、回転判定手段を、加熱手段の駆動開始後に一次電流の値が所定値以上に達すると判定処理を開始するように構成しても良い。即ち、加熱手段を起動した直後は消費電流量が小さいため昇圧トランスの一次電流値も小さいので、その電流値が所定値以上となった場合に加算を行えば、請求項６と同様に判定を正確に行うことができる。
【００１４】
更に、請求項７に記載したように、駆動制御手段がモータを駆動して回転アンテナを回転させているにもかかわらず、回転判定手段が前記回転アンテナの回転が停止していると判断した場合に、その旨を報知する報知手段を備えると良く、斯様に構成すれば、ユーザに回転アンテナの回転が停止していることを報知できる。
【００１５】
加えて、請求項８に記載したように、駆動制御手段がモータを駆動して回転アンテナを回転させているにもかかわらず、回転判定手段が前記回転アンテナの回転が停止していると判断した場合に、加熱手段による加熱調理を中止させる加熱中止手段を備えると良い。斯様に構成すれば、調理対象物に加熱むらが発生することを防止できる。
【００１６】
【発明の実施の形態】
以下、本発明の一実施例を図面に基づいて説明する。まず、電子レンジの概略的な外観を示す図７において、キャビネット１は前面が開口した矩形箱状をなすものであり、その内部に前面が開口した矩形容器状の調理室２（図８参照）が形成されていると共に、前面部に調理室２の開口部を開閉するためのドア３が回動可能に装着されている。
【００１７】
キャビネット１内には、調理室２の側方に隣接して機械室５０（図８参照）が形成されており、機械室５０内には、後述する電源装置１５及びマグネトロン２７などが収納されている。キャビネット１における機械室５０の前面側位置には操作パネル４が設けられており、この操作パネル４には、調理開始用のスタートスイッチ５、複数種類の調理メニューに対応した自動調理スイッチ６、調理時間を設定するための時間設定ダイヤル７、調理情報や時間情報などを表示するためのＬＥＤパネル８（報知手段に相当）が配設されている。
【００１８】
図８は、電子レンジの縦断正面図である。調理室２内の天井部には、オーブン調理及びグリル調理用のヒータ９が設けられている。調理室２内の底部裏側には、底板５１を介して回転アンテナ１０が設けられている。この回転アンテナ１０は、例えば鋼板のような導電材料で構成されておりモータ１４によって回転駆動され、マグネトロン２７より出力されるマイクロ波を調理室２の内部に拡散させて定在波が立つことを防止する目的で設けられている。従って、底板５１において回転アンテナ１０を介してマイクロ波が照射される部分は、例えばセラミックなどのようなマイクロ波透過材料によって形成されている。
【００１９】
また、図９には、調理室２の底部裏面側に配置されている構成を、一部を透過して示す平面図である。機械室５０内部に配置されているマグネトロン２７より出力されるマイクロ波は図８中で下向きに照射されると、前記底部裏面側に配置されている導波管５２によって回転アンテナ１０に導かれ、その回転アンテナ１０を介して（即ち、回転アンテナの下方側から上方側へ向かって）調理室２の内部に照射されるようになっている。
【００２０】
図１０には、電子レンジの電気的構成が概略的に示されており、以下これについて説明する。但し、この図１０では、周知のドアスイッチ、ショートスイッチ、マグネトロンサーマルスイッチ、庫内灯などの図示を省略している。電源装置１５は、商用交流電源１６に接続された一対の電源線１７、１８から給電されるようになっている。この電源装置１５は、商用交流電源１６の出力を全波整流する整流回路１９と、その整流出力を平滑するための平滑用リアクトル２０及び平滑用コンデンサ２１と、その平滑直流出力を所定周波数の交流出力に変換するためのインバータ回路２２とを備えた構成となっている。尚、電源線１７、１８間には雑音防止コンデンサ２３が接続されている。
【００２１】
インバータ回路２２は、昇圧トランス２４の一次巻線２４ａを共振要素として利用する構成のものであり、前記平滑用コンデンサ２１と並列に、共振コンデンサ２５及びＩＧＢＴ２６のコレクタ・エミッタ間の直列回路を接続すると共に、共振コンデンサ２５の両端に昇圧トランス２４の一次巻線２４ａを接続した構成となっている。
【００２２】
昇圧トランス２４が有する２個の二次巻線２４ｂ、２４ｃのうち、一方の二次巻線２４ｂの両端にはマグネトロン２７（加熱手段に相当）の陰極が接続されており、このマグネトロン２７の陽極はグランド端子に接続されている。昇圧トランス２４の二次側には倍電圧整流回路２８が接続されている。この倍電圧整流回路２８は、２個の高圧コンデンサ２９、３０の直列回路と２個の高圧ダイオード３１、３２の直列回路とを並列接続して成るものであり、高電位側の高圧ダイオード３１のアノードがマグネトロン２７の陰極（二次巻線２４ｂの一方の端子）に接続され、低電位側の高圧ダイオード３２のカソードがサンプリング抵抗３３（入力電流検出手段に相当）を介してグランド端子に接続されている。また、高圧コンデンサ２９、３０の共通接続点が二次巻線２４ｃの一方の端子に接続され、高圧ダイオード３１、３２の共通接続点が二次巻線２４ｃの他方の端子に接続されている。尚、倍電圧整流回路２８には抵抗３４が並列に接続されている。
【００２３】
この場合、倍電圧整流回路２８からマグネトロン２７に電源が供給されると、そのマグネトロン２７が発振してマイクロ波を発生するようになり、そのマイクロ波は、前述したように導波管５２を介し回転アンテナ１０により拡散されて調理室２内に照射される構成となっている。そして、サンプリング抵抗３３の両端には、マグネトロン２７の陽極電流（入力電流）に応じたレベルの電圧信号が発生するものであり、この電圧信号は、マグネトロン２７の陽極電流レベルを示す電流検出信号Ｉｂとして後述する制御装置３５（駆動制御手段，インバータ制御手段，回転判定手段，報知手段，加熱中止手段）に入力される構成となっている。
【００２４】
商用交流電源１６の両電源線１７、１８間には、降圧トランス３６の一次巻線３６ａが接続されている。この降圧トランス３６の二次巻線３６ｂには、センタタップ形式の全波整流回路３７が接続されており、その全波整流回路３７の出力端子とグランド端子との間には、充電用の抵抗３８及び放電用の抵抗３９の直列回路が接続され、その抵抗３９と並列にコンデンサ４０が接続されている。上記した降圧トランス３６、全波整流回路３７、抵抗３８、３９、コンデンサ４０は、電源電圧検出回路４１（電圧検出手段に相当）を構成するものであり、コンデンサ４０の端子間電圧が電源電圧レベルを示す電圧検出信号Ｖｉｎとして前記制御装置３５に入力される構成となっている。
【００２５】
尚、図示しないが、上記降圧トランス３６は、制御装置３５などのための制御用電源回路にも利用されるものであり、二次巻線３６ｂに安定化電源回路などが接続される構成となっている。
【００２６】
また、前記電源線１８には、カレントトランス４２（電流検出手段に相当）が設けられており、このカレントトランス４２の二次側出力は、インバータ回路２２に対する入力電流（昇圧トランス２４の入力側の電流）のレベルを示す電流検出信号Ｉｉｎとして制御装置３５に入力される構成となっている。
【００２７】
商用交流電源１６の両電源線１７及び１８間には、リレースイッチ４３と前記ヒータ９との直列回路、リレースイッチ４４と前記回転アンテナ１０駆動用のモータ１４との直列回路、リレースイッチ４５とファンモータ４６との直列回路が接続されている。尚、上記ファンモータ４６は、機械室５０内に配設されるものであり、その駆動状態で機械室内部の電気部品を冷却するための送風ファン（図示せず）が運転されるようになっている。
【００２８】
制御装置３５には、上述した電流検出信号Ｉｂ及びＩｉｎ、電圧検出信号Ｖｉｎの他に、スタートスイッチ５及び自動調理スイッチ６からの操作信号や時間設定ダイヤル７の操作量を検出するためのエンコーダ７ａからの検出信号が入力されるようになっている。そして、制御装置３５は、それらの入力信号並びに予め設定されたプログラムなどに基づいて、リレースイッチ４３〜４４のオンオフ制御、ＬＥＤパネル８の表示制御、ドライバＩＣ４７を通じたインバータ回路２２の動作制御などを行う構成となっている。尚、制御装置３５内には、各種の制御用データを記憶するための不揮発性メモリ（図示せず）が設けられている。
【００２９】
しかして、上記のように構成された電子レンジでは、回転アンテナ１０を回転させながら行うレンジ調理時の開始時において、電流検出信号Ｉｉｎにより示されるインバータ回路２２の入力電流は、図２に示すように過渡的に上昇した後にほぼ安定した状態を呈するようになる。
【００３０】
この場合、回転アンテナ１０が回転することでマグネトロン２７より出力されるマイクロ波は拡散され、調理室２の内部で定在波が立つことはなく負荷インピーダンスは周期的に大きく変動する。ここで、電圧検出信号Ｖｉｎ及び電流検出信号Ｉｉｎの積と電流検出信号Ｉｂとの比Ｒ＝Ｖｉｎ×Ｉｉｎ／Ｉｂ（つまり、インバータ回路２２の入力電圧及び入力電流の積とマグネトロン２７の陽極電流との比）は、回転アンテナ１０の回転に応じて図３に示すように変化する。即ち、電子レンジにおける電力消費の大部分はマグネトロン２７によるため、この比Ｒは、実質的にマグネトロン２７の陽極電圧変化、即ち、調理室２内の負荷インピーダンスの変動を反映している。
【００３１】
尚、回転アンテナ１０の回転周期は２．４秒であり、図３における横軸の時間には２．５秒単位で区切りを入れているが、この２．５秒は所定期間に対応する。そして、各所定期間内おいて観測される比Ｒの最大値（ＭＡＸ１〜３・・・）と最小値（ＭＩＮ１〜３・・・）との差Ｄ＝ＭＡＸ−ＭＩＮ，をプロットしたものが図４である。
【００３２】
図４において、黒丸でプロットしたものが、回転アンテナ１０が回転している場合に対応し、白丸でプロットしたものが、回転アンテナ１０の回転が停止している場合に対応する。ここで、最大値と最小値とを得るための所定期間を回転アンテナ１０の回転周期よりも長い時間に設定したのは、１回転周期内には比Ｒの最大値，最小値が必ず現れるため、それらを確実に観測できるようにするためである。
【００３３】
即ち、回転アンテナ１０の回転が停止すると、マグネトロン２７より出力されるマイクロ波は拡散されなくなり調理室２の内部で定在波が立つようになるので、負荷インピーダンスの変動は図３に示す場合に比較して小さくなる。従って、差Ｄは、回転アンテナ１０が回転している状態で大きくなり、その回転が停止している状態で小さくなる。その傾向は図４においても現れており、この値に基づいて回転アンテナ１０の回転の有無を判定することも可能であるが、一部においては判定が微妙となる箇所もある。
【００３４】
そこで、回転アンテナ１０の回転の有無をより明確に把握するため、以下の処理を行なう。図４でプロットした差Ｄを累積加算した値（積算値）Ａを図５に示す。尚、図４に示すように、インバータ回路２２，マグネトロン２７の起動時は、動作状態が安定せずばらつきが大きいため、図５における累積加算の対象からは除外している。
【００３５】
図５に示すように、積算値Ａは略線形に増加する傾向を示している。そこで、更に、積算値Ａが６０秒経過する毎に増加した値Ｇをプロットしたものが図６である。増加値Ｇは、黒丸，白丸で明確に峻別できる値となっており、両者の略中間に相当する値を判定用閾値（判定値）に設定して判定を行えば、回転アンテナ１０の回転の有無を確実に判定することができる。
【００３６】
ここで、図１は、制御装置３５が上記の原理に基づいて回転アンテナ１０の回転の有無を判定するために行なう処理内容を示すフローチャートである。制御装置３５は、自動調理スイッチ６及び時間設定ダイヤル７による調理メニュー及び調理時間の設定操作が行われた後に、スタートスイッチ５が操作されたことを検出すると調理を開始する。即ち、リレースイッチ４４及び４５をオンさせてモータ１４及びファンモータ４６に通電することにより回転アンテナ１０及び図示しない送風ファンの運転を開始すると共に、ドライバＩＣ４７を通じてインバータ回路２２ひいてはマグネトロン２７の駆動を開始する制御が行われる（ステップＳ１）。
【００３７】
次に、制御装置３５は積算値Ａをゼロクリアすると（ステップＳ２）、設定された調理時間が経過したか否か、即ち調理終了か否かを判断し（ステップＳ３）、調理中であれば（「ＮＯ」）比Ｒ（＝Ｖｉｎ×Ｉｉｎ／Ｉｂ）の最大値，最小値の検出を開始する（ステップＳ４）。そして、ステップＳ６において所定期間２．５秒が経過するまでの間（「ＮＯ」）、一次電圧Ｖｉｎ，一次電流Ｉｉｎ及び陽極電流Ｉｂをサンプリングして比Ｒを演算し、最大値ＭＡＸ，最小値ＭＩＮを更新する（ステップＳ５）。
【００３８】
ステップＳ６において２．５秒が経過すると（「ＹＥＳ」）、制御装置３５は差Ｄ（＝ＭＡＸ−ＭＩＮ）を演算し（ステップＳ７）、その差Ｄが３０以下であるか否かを判断する（ステップＳ８）。差Ｄが３０以下であれば（「ＹＥＳ」）積算値Ａに加算し（ステップＳ９）、調理開始から６０秒を経過していなければ（ステップＳ１０，「ＮＯ」）ステップＳ３に戻る。
【００３９】
また、ステップＳ８において差Ｄが３０を超えている場合は（「ＮＯ」）、インバータ回路２２，マグネトロン２７の駆動開始時であり、動作が不安定な期間にあるものと判断されるので、その差Ｄを積算値Ａに加算することなくステップＳ１０に移行する。
【００４０】
ステップＳ１０において６０秒が経過すると（「ＹＥＳ」）、制御装置３５は増加値Ｇを計算する（ステップＳ１１）。増加値Ｇは、６０秒間において積算値Ａが増加した値である。そして、増加値Ｇが８０以上であれば（ステップＳ１２，「ＹＥＳ」）、６０秒のカウントをリセットスタートさせて（ステップＳ１３）ステップＳ３に戻る。
【００４１】
ステップＳ３〜Ｓ１３のループを回っている間に設定された調理時間が経過すると（ステップＳ３，「ＹＥＳ」）、制御装置３５は、リレースイッチ４４、４５をオフさせて回転アンテナ１０の回転及び図示しない送風ファンの運転を停止させると共に、ドライバＩＣ４７を通じたインバータ回路２２の駆動を停止してマグネトロン２７を駆動停止させ（ステップＳ１４）、調理を終了する。
【００４２】
一方、ステップＳ３〜Ｓ１３のループを回っている間に、ステップＳ１２において増加値Ｇが８０未満となった場合は（「ＮＯ」）、何らかの故障が発生したことにより回転アンテナ１０の回転が停止したものと判断される。従って、制御装置３５は、ステップＳ１４と同様に、リレースイッチ４４、４５をオフさせ、ドライバＩＣ４７を通じたインバータ回路２２の駆動を停止してマグネトロン２７を駆動停止させると共に、ＬＣＤパネル６において回転アンテナ１０の回転が停止した旨をユーザに報知するための表示（エラー報知）を行う（ステップＳ１５）。
【００４３】
以上のように本実施例によれば、制御装置３５は、昇圧トランス２４の一次側電圧Ｖｉｎ及び一次側電流Ｉｉｎと、マグネトロン２７の陽極電流Ｉｂに基づいて、マイクロ波を調理室２内に拡散させる回転アンテナ１０の回転の有無を判定するようにした。具体的には、比Ｒ＝（一次側電圧Ｖｉｎ）×（一次側電流Ｉｉｎ）／（陽極電流Ｉｂ）の演算結果が所定期間において変動する度合いを、所定期間における比Ｒの最大値と最小値との差Ｄを累積的に加算した値Ａが増加する値Ｇとして求め、その増加値Ｇの大きさに基づいて判定を行なうようにした。
【００４４】
即ち、一次側電圧Ｖｉｎ及び一次側電流Ｉｉｎ並びに陽極電流Ｉｂは、制御装置３５が通常の加熱制御を行う場合に使用する構成要素であるから、従来とは異なり、回転アンテナ１０の回転の有無を判定するためにセンサなどを別途設ける必要がなく、コストアップさせることなく判定を行なうことが可能である。
【００４５】
また、所定期間を回転アンテナ１０の回転周期よりも長い時間に設定するので、その所定期間内に、１回転周期内において現れる比Ｒの最大値，最小値を確実に捉えることができる。そして、増加値Ｇに基づいて判定を行なうので、回転アンテナ１０が回転している状態と、その回転が停止した状態との間における差Ｄの値の変化が比較的小さい場合であっても、両状態の差が明確に分かるようになるので、判定をより確実に行うことができる。
【００４６】
加えて、制御装置３５は、最大値と最小値との差Ｄが所定範囲内にある場合のみ加算を行うので、マグネトロン２７を起動した直後における動作が不安定な状態で得られる演算値を排除して、判定を正確に行うことができる。
【００４７】
また、制御装置３５は、モータ１４を駆動して回転アンテナ１０を回転させているにもかかわらず、回転アンテナ１０の回転が停止していると判断すると、ＬＣＤパネル８によってその旨の報知を行なうので、ユーザに回転アンテナ１０の回転が停止していることを報知できる。また、この時制御装置３５は、マグネトロン２７による加熱調理を中止させるので、調理対象物に加熱むらが発生することを防止できる。
【００４８】
その他、本発明は上記し且つ図面に記載した実施例に限定されるものではなく、以下のような変形或いは拡大が可能である。
マグネトロン２７の駆動開始後に一次電流の値が所定値以上に達すると、回転の有無の判定処理を開始するように構成しても良い。即ち、マグネトロン２７を起動した直後は消費電流量が小さいため昇圧トランス２４の一次電流値Ｉｉｎも小さい。従って、その電流値Ｉｉｎが所定値以上となった場合に判定処理を行えば、判定を正確に行うことができる。
回転アンテナ１０の回転の有無を判定する処理は、その他、例えば図５に示す積算値Ａの大きさを、加熱開始から所定の時間が経過した時点において判定したり、また、図４に示す差Ｄの大きさをのみで判定するようにしても良い。
【００４９】
更に、必ずしも比Ｒを演算することで判定を行なうものに限ることなく、一次側電圧Ｖｉｎ及び一次側電流Ｉｉｎ並びに陽極電流Ｉｂに基づいて調理室内の負荷インピーダンス変動の状態を把握できる方式であれば、どのような演算を行っても良い。
所定期間を、回転アンテナの回転周期よりも短い時間に設定しても良い。
報知手段によるエラー報知は音声やブザー音などを用いて行っても良い。
報知手段や加熱中止手段は、必要に応じて設ければ良い。
上記実施例においては、ヒータ調理機能を有する電子レンジに適用したが、これに限定されるものではなく、例えばレンジ調理専用機に適用しても良い。上記実施例においては、加熱手段としてマグネトロン２７を例示したが、マイクロ波を発生して食品を加熱できる加熱手段であれば良い。
【００５０】
【発明の効果】
本発明の電子レンジによれば、回転判定手段は、昇圧トランスの一次側電圧及び一次側電流，並びに加熱手段の入力電流に基づいて、加熱手段より出力される回転アンテナが実際に回転しているか否かを判定するようにした。即ち、電圧検出手段，電流検出手段及び入力電流検出手段は、インバータ制御手段が通常の加熱制御を行う場合に使用する構成要素であるから、回転アンテナが実際に回転しているか否かを判定するためにセンサなどを別途設ける必要がなく、コストをアップさせることなく回転の有無の判定を行うことができる。
【図面の簡単な説明】
【図１】本発明の一実施例であり、電子レンジの制御装置が回転アンテナの回転の有無を判定するために行なう処理内容を示すフローチャート
【図２】調理開始からの時間経過に伴って、入力電流Ｉｉｎが変化する状態を示す図
【図３】調理開始からの時間経過に伴って比Ｒが変化する状態を示す図
【図４】各所定期間内おいて観測される比Ｒの最大値と最小値との差Ｄを、回転アンテナが回転している場合、その回転が停止している場合についてプロットした図
【図５】差Ｄの積算値Ａを示す図
【図６】積算値Ａが６０秒経過する毎に増加した値Ｇをプロットした図
【図７】電子レンジの概略的な外観を示す斜視図
【図８】電子レンジの縦断正面図
【図９】調理室の底部裏面側に配置されている構成を、一部を透過して示す平面図
【図１０】電子レンジの電気的構成を概略的に示す図
【符号の説明】
２は調理室、８はＬＥＤパネル（報知手段）、１０は回転アンテナ、１４はモータ、１５は電源装置、２２はインバータ回路、２４は昇圧トランス、２７はマグネトロン（加熱手段）、３３はサンプリング抵抗（入力電流検出手段）、３５は制御装置（駆動制御手段，インバータ制御手段，回転判定手段，報知手段，加熱中止手段）、４１は電源電圧検出回路（電圧検出手段）、４２はカレントトランス（電流検出手段）を示す。
【図１】
2004095432.tif 000003
【図２】
2004095432.tif 000004
【図３】
2004095432.tif 000005
【図４】
2004095432.tif 000006
【図５】
2004095432.tif 000007
【図６】
2004095432.tif 000008
【図７】
2004095432.tif 000009
【図８】
2004095432.tif 000010
【図９】
2004095432.tif 000011
【図１０】
2004095432.tif 000012